(57)【特許請求の範囲】
【請求項１】
ファンモーターを支える筒状の支柱と、この支柱を支持する基台と、前記ファンモーターの運転制御を行う制御基板を有し、前記支柱の断面形状を前後方向が径大なる楕円形状に設け、前記制御基板の板巾方向を前記支柱の径大なる方向に合わせて支柱に収納してなるスタンド型扇風機。
【発明の詳細な説明】
【０００１】
【発明の属する技術分野】
本発明は、スタンド型扇風機に関するものである。
【０００２】
【従来の技術】
近年、洋風化する生活様式のなかで、すっきりしたデザインのスタンド型扇風機が求められている。
【０００３】
従来、この種のスタンド型扇風機は、図６に示すような構成であった。すなわち、送風部１０１は支柱１０２に支持され、支柱１０２は基台１０６に支持されている。この支柱１０２の中間部には制御基板（図示せず）を内装した操作部１０３が設けられ、操作部１０３の表面には表示用ＬＥＤ１０４とスイッチボタン１０５が設けられている。表示用ＬＥＤ１０４はスイッチボタン１０５の上部にマトリクス状に密集して配置されている。
【０００４】
【発明が解決しようとする課題】
このような従来のスタンド型扇風機では、操作部に板状の制御基板を内装しているため、操作部が支柱の側方から突出しており、支柱を均等にスリム化ができないという課題があり、制御基板を内装しても支柱を凹凸なくスリム化できることが要求されている。
【０００５】
本発明は、このような従来の課題を解決するものであり、支柱に制御基板や操作部を有していても支柱は凹凸なく均等にスリム化したスタンド型扇風機を提供することを目的としている。
【０００６】
また、従来のスタンド型扇風機では、支柱の側方に制御基板を挿入する開孔部を設けているため、支柱全体をスリム化すると、ファンモーターの支持強度が損なわれるという課題があり、強度を損なうことなく制御基板を収納できるスリムな形状の支柱が要求されている。
【０００７】
本発明は、このような従来の課題を解決するものであり、制御基板を収納した支柱の強度を維持できるスタンド型扇風機を提供することを目的としている。
【０００８】
また、従来のスタンド型扇風機では、表示用ＬＥＤが一ヵ所に密集して配置されているために、リモコンで遠隔操作を行う場合などに離れたところから表示用ＬＥＤの表示内容を確認しようとすると、どの表示用ＬＥＤが点灯しているか識別できないという課題があり、離れたところから表示用ＬＥＤの表示内容が容易に識別できることが要求されている。
【０００９】
本発明は、このような従来の課題を解決するものであり、離れたところからの表示用ＬＥＤの表示内容の確認が容易なスタンド型扇風機を提供することを目的としている。
【００１０】
また、従来のスタンド型扇風機では、スイッチボタン操作時に前から後方向に操作力を加えるため支柱が傾いても使用者にはその傾き度合が把握し難く、また後方に倒れないように支柱裏側を支えて操作するにも操作性が悪いという課題があり、スイッチボタン操作時に支柱の傾き度合の確認が容易で、安全に操作できるスタンド型扇風機が要求されている。
【００１１】
本発明は、このような従来の課題を解決するものであり、スイッチボタン操作時の安全を保ちつつ操作できるスタンド型扇風機を提供することを目的としている。
【００１２】
また、従来のスタンド型扇風機では、スリム化した支柱の前面にスイッチボタンと表示用ＬＥＤを配置した場合は、スイッチボタンと表示用ＬＥＤが上下に離れて配置されるため、スイッチボタンの操作性が悪くなるという課題があり、支柱がスリム化した場合でもスイッチ操作が容易にできるスタンド型扇風機が要求されている。
【００１３】
本発明は、このような従来の課題を解決するものであり、スリムな支柱にスイッチボタンがあっても、スイッチ操作を容易にしたスタンド型扇風機を提供することを目的としている。
【００１４】
【課題を解決するための手段】
本発明のスタンド型扇風機は上記課題を解決するために、ファンモーターを支える筒状の支柱と、この支柱を支持する基台と、前記ファンモーターの運転制御を行う制御基板を有し、前記支柱の断面形状を前後方向が径大なる楕円形状に設け、前記制御基板の板巾方向を前記支柱の径大なる方向に合わせて支柱に収納した構成としたものである。
【００１５】
本発明によれば、支柱に制御基板や操作部を有していても支柱は凹凸なく均等にスリム化できるスタンド型扇風機が得られる。
【００１６】
また他の手段は、制御基板を包み込む保護ケースと、支柱の一端に設けた開孔部を有し、前記保護ケースに包まれた制御基板は前記支柱の開孔部より出入可能に挿入される構成としたものである。
【００１７】
そして本発明によれば、制御基板を収納した支柱の強度を維持できるスタンド型扇風機が得られる。
【００１８】
また他の手段は、ファンモーターの運転状態を表示する表示用ＬＥＤを支柱の前面に縦一列に配置したものである。
【００１９】
そして本発明によれば、離れたところから表示用ＬＥＤの表示内容が容易に識別できるスタンド型扇風機が得られる。
【００２０】
また他の手段は、制御基板の入力手段としてのスイッチボタンを支柱の側面に設けた構成としたものである。
【００２１】
そして本発明によれば、スイッチボタン操作時の安定を保ちつつ操作できる安全なスタンド型扇風機が得られる。
【００２２】
また他の手段は、表示用ＬＥＤと略同一高さに操作スイッチを設けたものである。
【００２３】
そして本発明によれば、スリムな支柱に表示用ＬＥＤとスイッチボタンを設けても、スイッチ操作を容易にすることのできるスタンド型扇風機が得られる。
【００２４】
【発明の実施の形態】
本発明は、ファンモーターを支える支柱と、この支柱を支持する基台と、前記ファンモーターの運転制御を行う制御基板を有し、前記支柱の断面形状を前後方向が径大なる楕円形状に設け、前記制御基板の板巾方向を前記支柱の径大なる方向に合わせて支柱に収納したものであり、基板を収納した支柱は突出部分がなく、また支柱の左右巾は狭くなるので、スタンド型扇風機の正面から見て、支柱をスリムにするという作用を有する。
【００２５】
また、制御基板を包み込む保護ケースと、支柱の一端に設けた開孔部を有し、前記保護ケースに包まれた制御基板は前記支柱の開孔部より出入可能に挿入されたものであり、支柱の側面に制御基板を取り付けるための開孔を設ける必要がなく、支柱のパイプ形状を保つことができ、支柱の強度を損なわないという作用を有する。
【００２６】
また、ファンモーターの運転状態を表示する表示用ＬＥＤを支柱の前面に縦一列に配置したものであり、表示用ＬＥＤは正面を向いて個々に間隔を設けて配置することができ、遠方からでも容易に識別できるという作用を有する。
【００２７】
また、制御基板の入力手段としてのスイッチボタンを支柱の側面に設けたものであり、支柱を片手で握り支えながら握った手の指を使いスイッチボタン操作ができ、さらにスイッチボタンを押して本体が傾いた場合でも傾き度合が目視できるので、安定した状態でスイッチボタン操作ができるという作用を有する。
【００２８】
また、表示用ＬＥＤと略同一高さにスイッチボタンを設けたものであり、支柱の前面の表示用ＬＥＤの位置を基準にして、指を伸ばすことにより側面のスイッチボタンの位置を容易に確認できるという作用を有する。
【００２９】
以下、本発明の実施例について添付図面を参照しながら説明する。
【００３０】
【実施例】
（実施例１）
図１および図３〜図５に示すように、ファンモーター１は筒形状の支柱２に支持され、支柱２を上下動可能に支持する基台３を有している。支柱２は断面形状を前後方向に径大なる楕円形状とし、支柱２の内部には基板７が、その板巾方向を支柱２の径大なる方向に合わせて収納されている。基板７は合成樹脂製の保護ケース６に収納され、保護ケース６は支柱２にねじ止め固定されている。
【００３１】
上記構成において、支柱２の断面形状を楕円形状として内部に基板７を収納しているので、従来のような突出した基板収納部（操作部）を設ける必要がなく、支柱２はストレートな外観形状を保つことができる。また、支柱の狭い巾面が正面を向いて設置されるので、使用者にとって支柱２はスリムに見えることとなる。
【００３２】
なお、本実施例では基板７は保護ケース６に収納して支柱２に取り付けたが、基板７を支柱２にねじ止め固定などにより直接取り付けるようにしてもよい。また、本実施例では支柱２は上下動可能としたが、支柱を基台３に固定して上下動しないようにしてもよい。
【００３３】
（実施例２）
図１、図３および図４に示すように、支柱２の上端には開孔部２ａを備え、この開孔部２ａより基板７を収納した保護ケース６を出し入れできるようになっている。基板７に搭載したスイッチ部品７ａに面して支柱２の側面に凹面を備えた小孔を設け、この小孔にスイッチボタン５が取り付けられている。
【００３４】
上記構成において、まず基板７を収納した保護ケース６を支柱２の開孔部２ａより挿入し、保護ケース６をねじ止め固定する。次に支柱２の側面に設けた小孔にスイッチボタン５を取り付けることにより、基板７に搭載したスイッチ部品７ａをスイッチボタン５により操作することができる。従って、支柱２の側面にはスイッチボタン５用の小孔などは設けているが、基板７を出し入れする大きな開口面を設ける必要がないので、筒形状を維持して強度を保ち、ファンモーター１の重量を支えてスタンド型扇風機の傾き・ぐらつきを生じないようにすることができる。
【００３５】
（実施例３）
図１〜図３および図５に示すように、支柱２の前面に複数の表示用ＬＥＤ４を縦一列に配設している。すなわち、表示用ＬＥＤ４は基板７の長手方向の縁端に所定間隔で一列にはんだ付け固定され、さらに脚４ａを略直角に折り曲げて表示用ＬＥＤ４の頭部４ｂが支柱２の前面方向に向けられ、保護ケース６、支柱２の前面に設けた小孔を通して表示用ＬＥＤ４の発光が支柱２より前方に送られるようになっている。表示用ＬＥＤ４はタイマー表示部、風量表示部などの機能ブロックに分かれ、機能ブロック間には大きな間隔を設け、機能ブロック内は表示用ＬＥＤ４を等間隔に配している。
【００３６】
上記構成において、支柱２の前面に縦一列に配することにより、従来のように運転状態を知りたいときに表示部に近づきＬＥＤの点灯位置を確認する必要がなく、またリモコン操作などの離れたところからの操作でも容易に表示確認ができる。また、機能ブロックごとに大きな間隔を設け、個々の表示用ＬＥＤ４は等間隔に配することにより、表示用ＬＥＤ４の上下の位置関係から容易に運転内容を判断することができる。
【００３７】
なお、本実施例では機能ブロック間の間隔を大きくして表示内容を分かりやすくしたが、機能ブロックごとに、または機能ブロック内の表示用ＬＥＤ４の色を変えるようにしてもよい。
【００３８】
（実施例４）
図１〜図４に示すように、スイッチボタン５を支柱２の側面に設けた凹部に縦一列に設けている。スイッチボタン５の作用端５ａはスイッチ部品７ａの先端に面し、スイッチボタン５の表面を押圧してスイッチ部品７ａをＯＮ・ＯＦＦ動作させるようになっている。
【００３９】
上記構成において、スイッチ操作する場合は片手で支柱２を後から握り支えながら支柱２の側面に人差し指または親指を伸ばしてスイッチボタン５を押圧することによりスイッチ部品７ａをＯＮ・ＯＦＦ動作させることができる。このとき、片手で支柱２を支えながらスイッチボタン５を操作できるため、スイッチ操作が楽にできるとともに、スイッチボタン５の押圧方向は支柱２の側面から行うため、大きな押圧力が加わり支柱２が傾いた場合でも傾斜度が目視確認できるため、本体が倒れそうになると即座に反対から支えることにより、安全に使用することができる。
【００４０】
（実施例５）
図２に示すように、複数のタイマー時間表示用ＬＥＤ４ａを支柱２の前面に等間隔に設け、支柱２の側面にタイマー用スイッチボタン５ａを設けている。タイマー時間表示ＬＥＤ４ａの最上端とタイマー用スイッチボタン５の上端位置は略同一高さとしている。また、前記タイマー時間表示用ＬＥＤ４ａの下には複数の風量表示用ＬＥＤ４ａを設け、この最上端位置と支柱２の側面に設けた風量用スイッチボタン５ｂの上端位置を略同一高さとしている。
【００４１】
上記構成において、タイマー時間設定または風量設定を行う場合は、表示用ＬＥＤ４ａ，４ｂの最上端位置を基準にして、支柱２の側面にあるスイッチボタン５ａ，５ｂの位置を簡単に手探りで知ることができるため、スイッチボタン５の表示文字を覗き込み確認しなくても、支柱２の前面の表示用ＬＥＤ４を基準にして確実にスイッチ操作することができる。また、夜間の就寝時に使用している場合に、照明が暗くてスイッチボタン５の位置が不明であっても、表示用ＬＥＤ４の位置を基準にして容易にスイッチ操作することができる。
【００４２】
【発明の効果】
以上のように本発明によれば、筒状の支柱の断面を前後方向が径大なる楕円形状として、この径大なる方向に基板を収納することにより支柱に突出部分を生じず、また楕円の径小なる面を前面としているので、前面から見て細く見え、スリム感を与えることができるスタンド型扇風機を提供できる。
【００４３】
また、基板を合成樹脂製の保護ケースで覆い支柱の一端に設けた開口部より挿入することにより、支柱の表面の開口を最小限に抑えることができ、支柱の強度を損なわないスタンド型扇風機を提供できる。
【００４４】
また、支柱の前面に表示用ＬＥＤを縦一列に設けることにより、表示内容の確認が遠方からでも容易にでき、視認性のよいスタンド型扇風機を提供できる。
【００４５】
また、操作スイッチを支柱の側面に配することにより、片手で支柱を支えながら操作スイッチを操作でき、操作スイッチの操作により支柱が傾く場合も、その傾斜度が目視確認できるため安全性の優れたスタンド型扇風機を提供できる。
【００４６】
また、支柱前面の表示用ＬＥＤと同一高さに操作スイッチを支柱側面に設けることにより、前面の表示用ＬＥＤの位置を基準にして側面の操作スイッチの位置を判断でき、操作性の優れたスタンド型扇風機を提供できる。
【図面の簡単な説明】
【図１】本発明の実施例１〜４のスタンド型扇風機の外形斜視図
【図２】同実施例３および実施例４の要部斜視図
【図３】同実施例１〜４の要部平断面図
【図４】同実施例２および実施例４の要部正面断面図
【図５】  同実施例１および実施例３の外観正面図
【図６】  従来のスタンド型扇風機の外形正面図
【符号の説明】
１    ファンモーター
２    支柱
２ａ  開孔部
３    基台
４    表示用ＬＥＤ
５    スイッチボタン
６    保護ケース
７    基板（制御基板）
【図１】
0003698825.tif 000002
【図２】
0003698825.tif 000003
【図３】
0003698825.tif 000004
【図４】
0003698825.tif 000005
【図５】
0003698825.tif 000006
【図６】
0003698825.tif 000007